(57)【特許請求の範囲】
【請求項１】
紙幣を投入すると投入された紙幣の真偽を判定した後、真札であれば装置から紙幣を送出する複数台の投入者に対し所定の商品又はサービスの提供が与えられるようにするための紙幣投入装置と、同紙幣投入装置の設置場所から離れた場所に設置される紙幣保管室と、前記各紙幣投入装置から送出される紙幣を受け取ってその紙幣を前記紙幣保管室まで搬送する紙幣搬送装置からなる紙幣の搬送保管設備であって、
前記紙幣搬送装置は、紙幣の紙面が垂直の姿勢で送れる紙幣通路を内部に形成した密閉のダクトを前記各紙幣投入装置に近接した位置を経て前記紙幣保管室の位置まで配設し、ダクトの左右側壁位置から内部中央に向けて突出するように設けられたガイドによって案内されて紙幣通路に沿って前記紙幣保管室まで下流に向って及び紙幣保管室から最遠の紙幣投入装置までの上流に向って移動でき且つ紙幣通路に置かれた紙幣を下流への移動途中で捕捉できるキャリアを紙幣通路内に配置し、
又、前記紙幣投入装置から送出される紙幣を受け入れて紙幣を一時待機して所要の時点でダクト側壁の狭い縦長の開口を介してダクト内の紙幣通路までその紙面が垂直状態となるように送り込む紙幣挿入装置を備え、
前記ダクトの前記紙幣保管室の前方位置のダクト終端近くの紙幣通路位置でキャリアを一時停止させるとともに前記キャリアが捕捉した紙幣をキャリアから分離して前記紙幣保管室へ送り込むキャリア停止紙幣放出部を設け、ダクトの最上流にある紙幣投入装置の位置から更に上流のダクトの紙幣通路位置にキャリアの一時停止と下流への発進ができる上流キャリア待機部を設け、前記キャリア停止紙幣放出部及び上流キャリア待機部にはキャリアの一時停止を可能とするためのストッパと、一時停止中のキャリアの存在を検出するキャリア検出センサーと、一時停止したダクト内のキャリアに向けて送風してキャリアを紙幣通路の反対端の一時停止位置に向けて移動させるように送風する送風機とを設け、
前記キャリアには、前記送風機から送風された下流方向又は上流方向への空気流を受けて移動の推進力を発生させる受圧部と、前記紙幣通路に置かれた紙幣を捕捉する下流に向って前方が開いたＶ字状の紙幣捕捉部とを設けるとともに、ダクトの内部中央に向けて突出させた前記ガイドと接習できるようにこれを嵌合させる開口部を前記受圧部と紙幣捕捉部に形成し、同開口部にガイドを嵌合させてキャリアを紙幣通路に沿って円滑に移動させる構造とし、
各紙幣投入装置毎に投入された紙幣が紙幣挿入装置により前記ダクト内の紙幣通路に置かれたことを検出する紙幣検出センサーをダクト内に設け、
同いずれかの紙幣検出センサーからの紙幣検出信号及び上流キャリア待機部の前記キャリア検出センサーによるキャリア検出信号の両検出信号を受けると、検出されたキャリアを上流キャリア待機部から紙幣通路に沿って下流に向けて移動可能とするように前記上流キャリア待機部の送風機とが起動をするように制御し、又キャリア停止紙幣放出部のキャリア検出センサーがキャリア検出信号を出力していて且つ全ての紙幣検出センサーが紙幣の非検出信号の状態であれば、キャリアをキャリア停止紙幣放出部から上流キャリア待機部へ移動するようにキャリア停止紙幣放出部側の送風機の起動を制御し、更に上流キャリア待機部のキャリア検出センサーがキャリア検出信号を出力し且つ全ての紙幣検出センサーが紙幣の非検出信号の状態であれば、紙幣を内部で待機させているいずれか一つの紙幣挿入装置を作動させて搬送する次の紙幣を紙幣通路へ送り込むように制御し、又起動した送風機はキャリアが移動して反対側のキャリア検出センサーのキャリア検出信号を受けて送風機を停止させる制御を行う制御部を備えたことを特徴とする、紙幣の搬送保管設備。
【請求項２】
請求項１において記載されたキャリアの受圧部として、Ｖ字状にダクト内側壁面に向けて先端が拡がった形状の縦長の羽根をキャリア前後部に有し、同羽根にガイドを嵌合する開口部を形成し、しかも同羽根の先端はダクトの内側壁面と近接又は接触させる寸法とし、空気流からの空気力をＶ字状の羽根で受圧してキャリアの推進力を高めたものとし、更にキャリア前部のＶ字状の羽根が紙幣捕捉部を兼用した、請求項１記載の紙幣の搬送保管設備。
【請求項３】
請求項２において記載されたキャリアのＶ字状の羽根を弾性変形可能にして、空気流で羽根が弾性変形してダクトの内側壁面に接触するように拡がることができるようにした、請求項２記載の紙幣の搬送保管設備。
【請求項４】
ダクトに設けたガイドが、左右のダクト側壁面の一部をダクト内部中央に向けて上下巾をもって水平に張り出して形成されたものであって、前記の左右一対のガイドの中央側となる先端の間のダクト内空間を紙幣通路とし、しかも前記上下巾があるガイドと嵌合して接習するようにキャリアのＶ字状の羽根の中間に前記ガイドを嵌入できる開口部を形成した、請求項２〜３いずれかに記載の紙幣の搬送保管設備。
【請求項５】
紙幣挿入装置は、紙幣投入装置から送られる紙幣をローラーで取り込んで一時停止させた後ダクトに設けた縦長のスリット状開口へ送り出すことができる紙幣を一時待機させる紙幣受取部と、前記ダクトのスリット状開口に設けられて前記紙幣受取部から送り出される紙幣をダクト内の紙幣通路へ誘導する変向ガイドと、前記紙幣受取部の紙幣を送り出すローラーを駆動するローラー駆動部と、前記紙幣受取部に一時停止された紙幣の存在を検出する受取検出センサーとを備える構造とし、前記受取検出センサーの検出信号を制御部に入力し、更にローラー駆動部の作動信号は制御部から送られるようにした、請求項１〜４いずれか記載の紙幣の搬送保管設備。
【請求項６】
ダクトは、ダクト外壁と内部の紙幣通路とダクト外壁の側壁の上下中間部分を中央に向け突出させたガイドとを一体成型で形成した、請求項１〜５記載の紙幣の搬送保管設備。
【請求項７】
ダクトの途中の複数個所で、ダクト内に空気流を送り込む補助送風機を設けた、請求項１〜６いずれか記載の紙幣の搬送保管設備。
【請求項８】
ダクトの始端と終端に設ける送風機に代えて、一台の送風機の分岐した二つの送風ダクトでダクトの始端側送風口と終端側送風口とを接続するとともに、各送風ダクトの途中にダンパーを設け、制御部によってダンパーの開閉制御できるようにして、ダクトの始端と終端から独立して送風できるようにした、請求項１〜７いずれか記載の紙幣の搬送保管設備。
【請求項９】
キャリア停止紙幣放出部に近いその上流側の位置に及び上流キャリア待機部に近いその下流側の位置にキャリアの移動速度を低下させるブレーキを設けた、請求項１〜８いずれか記載の紙幣の搬送保管設備。
【請求項１０】
遊技場の島に互に背中合せに遊技機と紙幣投入装置である貸機とを複数台左右それぞれに列設した遊技場での紙幣の搬送保管設備であって、島の背中合せの左右の貸機の間を通るように共用のダクトを設け、左右の貸機に投入されて送出される紙幣を貸機に接続された紙幣挿入装置で前記ダクトの紙幣通路の異なった位置に送り込めるようにした、請求項１〜９いずれか記載の紙幣の搬送保管設備。
【発明の詳細な説明】
【技術分野】
【０００１】
遊技店の貸機，ゲーム機，交通切符販売機，ＡＴＭ機，自動販売機，娯楽施設の入場券購入機，両替機等には、紙幣が使用できるように紙幣投入装置の機能が付属され、投入される紙幣の真偽と枚数等を計算・表示している。これら機器の紙幣投入装置に紙幣が投入されると、その投入者に対して所要の商品・サービスの提供がなされるようになっている。本願発明は、これら紙幣投入装置で投入された紙幣を安全の為又は勘定の為にその装置から離れた別の場所に設置された紙幣保管室・金庫等に搬送して、これら室庫で紙幣を保管できるようにする技術に関する。
【背景技術】
【０００２】
従来、これらの紙幣投入装置の内部に投入された紙幣を一時保管するものがあるが、これでは投入された紙幣は紙幣投入装置の内部に蓄積され、高額の金額が格納される。そのため、不法行為者によって紙幣投入装置から紙幣が盗まれる犯罪が発生していた。又、紙幣投入装置に納った紙幣を定期的に又は不定期的に取り出して安全な金庫・銀行等の場所へ運搬することはなされているが、これは手間・費用のかかることであり、又その取り出し・運搬途中に強盗にあう危険性もあった。
【０００３】
これを解消するため、紙幣投入装置に投入された紙幣を直ちに安全な場所へ搬送する装置が開発されてきた。
【０００４】
その一つとして、特許文献１の発明がある。この発明は、紙幣等の投入装置からの紙幣等の紙葉類を搬送する搬送管を設け、同搬送管内に円柱状の搬送補助体を配置し、同搬送補助体を搬送管内に送り込んだ空気流でもって移動させ、搬送管内に投入装置によって挿入された紙葉類を搬送補助体に当てて下流側へ送り込む装置である。
【０００５】
しかし、この特許文献１の発明では紙葉体が円柱状の搬送補助体によって確実に同行することが、紙葉体が搬送補助体との衝突で変形・変位し、又搬送管と搬送補助体との間の間隙・境界にからむ可能性があり、確実な紙葉類の搬送に問題がある。
【０００６】
又、他の方法として特許文献２の発明がある。送風管内に紙葉類を投入して送風管内の空気流で紙葉類を下流側へ搬送しようとする技術である。紙葉類と同行して強制搬送する剛体のキャリアを使用しない方法である。
しかし、空気流の空気力・乱流によって紙葉類が変形・変位すると、紙葉類が途中で詰ったり、送風管の管壁に吸着したりして、円滑に紙幣類を搬送できないという問題点がある。
【先行技術文献】
【特許文献】
【０００７】
【特許文献１】特開２０１２−７６８７５号公報
【特許文献２】特開２００８−２６６０２７号公報
【発明の概要】
【発明が解決しようとする課題】
【０００８】
本発明が解消しようとする課題は、従来の紙葉類の搬送装置の問題点を解消し、紙幣を確実に且つ高速度で紙幣保管室まで搬送でき、紙幣を速やかに安全な紙幣保管室まで移動させ、盗難の問題を解決させることにある。
【課題を解決するための手段】
【０００９】
かかる課題を解決した本発明の構成は、
１）  紙幣を投入すると投入された紙幣の真偽を判定した後、真札であれば装置から紙幣を送出する複数台の投入者に対し所定の商品又はサービスの提供が与えられるようにするための紙幣投入装置と、同紙幣投入装置の設置場所から離れた場所に設置される紙幣保管室と、前記各紙幣投入装置から送出される紙幣を受け取ってその紙幣を前記紙幣保管室まで搬送する紙幣搬送装置からなる紙幣の搬送保管設備であって、
前記紙幣搬送装置は、紙幣の紙面が垂直の姿勢で送れる紙幣通路を内部に形成した密閉のダクトを前記各紙幣投入装置に近接した位置を経て前記紙幣保管室の位置まで配設し、ダクトの左右側壁位置から内部中央に向けて突出するように設けられたガイドによって案内されて紙幣通路に沿って前記紙幣保管室まで下流に向って及び紙幣保管室から最遠の紙幣投入装置までの上流に向って移動でき且つ紙幣通路に置かれた紙幣を下流への移動途中で捕捉できるキャリアを紙幣通路内に配置し、
又、前記紙幣投入装置から送出される紙幣を受け入れて紙幣を一時待機して所要の時点でダクト側壁の狭い縦長の開口を介してダクト内の紙幣通路までその紙面が垂直状態となるように送り込む紙幣挿入装置を備え、
前記ダクトの前記紙幣保管室の前方位置のダクト終端近くの紙幣通路位置でキャリアを一時停止させるとともに前記キャリアが捕捉した紙幣をキャリアから分離して前記紙幣保管室へ送り込むキャリア停止紙幣放出部を設け、ダクトの最上流にある紙幣投入装置の位置から更に上流のダクトの紙幣通路位置にキャリアの一時停止と下流への発進ができる上流キャリア待機部を設け、前記キャリア停止紙幣放出部及び上流キャリア待機部にはキャリアの一時停止を可能とするためのストッパと、一時停止中のキャリアの存在を検出するキャリア検出センサーと、一時停止したダクト内のキャリアに向けて送風してキャリアを紙幣通路の反対端の一時停止位置に向けて移動させるように送風する送風機とを設け、
前記キャリアには、前記送風機から送風された下流方向又は上流方向への空気流を受けて移動の推進力を発生させる受圧部と、前記紙幣通路に置かれた紙幣を捕捉する下流に向って前方が開いたＶ字状の紙幣捕捉部とを設けるとともに、ダクトの内部中央に向けて突出させた前記ガイドと接習できるようにこれを嵌合させる開口部を前記受圧部と紙幣捕捉部に形成し、同開口部にガイドを嵌合させてキャリアを紙幣通路に沿って円滑に移動させる構造とし、
各紙幣投入装置毎に投入された紙幣が紙幣挿入装置により前記ダクト内の紙幣通路に置かれたことを検出する紙幣検出センサーをダクト内に設け、
同いずれかの紙幣検出センサーからの紙幣検出信号及び上流キャリア待機部の前記キャリア検出センサーによるキャリア検出信号の両検出信号を受けると、検出されたキャリアを上流キャリア待機部から紙幣通路に沿って下流に向けて移動可能とするように前記上流キャリア待機部の送風機とが起動をするように制御し、又キャリア停止紙幣放出部のキャリア検出センサーがキャリア検出信号を出力していて且つ全ての紙幣検出センサーが紙幣の非検出信号の状態であれば、キャリアをキャリア停止紙幣放出部から上流キャリア待機部へ移動するようにキャリア停止紙幣放出部側の送風機の起動を制御し、更に上流キャリア待機部のキャリア検出センサーがキャリア検出信号を出力し且つ全ての紙幣検出センサーが紙幣の非検出信号の状態であれば、紙幣を内部で待機させているいずれか一つの紙幣挿入装置を作動させて搬送する次の紙幣を紙幣通路へ送り込むように制御し、又起動した送風機はキャリアが移動して反対側のキャリア検出センサーのキャリア検出信号を受けて送風機を停止させる制御を行う制御部を備えたことを特徴とする、紙幣の搬送保管設備
２）  前記１）において記載されたキャリアの受圧部として、Ｖ字状にダクト内側壁面に向けて先端が拡がった形状の縦長の羽根をキャリア前後部に有し、同羽根にガイドを嵌合する開口部を形成し、しかも同羽根の先端はダクトの内側壁面と近接又は接触させる寸法とし、空気流からの空気力をＶ字状の羽根で受圧してキャリアの推進力を高めたものとし、更にキャリア前部のＶ字状の羽根が紙幣捕捉部を兼用した、前記１）記載の紙幣の搬送保管設備
３）  前記２）において記載されたキャリアのＶ字状の羽根を弾性変形可能にして、空気流で羽根が弾性変形してダクトの内側壁面に接触するように拡がることができるようにした、前記２）記載の紙幣の搬送保管設備
４）  ダクトに設けたガイドが、左右のダクト側壁面の一部をダクト内部中央に向けて上下巾をもって水平に張り出して形成されたものであって、前記の左右一対のガイドの中央側となる先端の間のダクト内空間を紙幣通路とし、しかも前記上下巾があるガイドと嵌合して接習するようにキャリアのＶ字状の羽根の中間に前記ガイドを嵌入できる開口部を形成した、前記２）〜３）いずれかに記載の紙幣の搬送保管設備
５）  紙幣挿入装置は、紙幣投入装置から送られる紙幣をローラーで取り込んで一時停止させた後ダクトに設けた縦長のスリット状開口へ送り出すことができる紙幣を一時待機させる紙幣受取部と、前記ダクトのスリット状開口に設けられて前記紙幣受取部から送り出される紙幣をダクト内の紙幣通路へ誘導する変向ガイドと、前記紙幣受取部の紙幣を送り出すローラーを駆動するローラー駆動部と、前記紙幣受取部に一時停止された紙幣の存在を検出する受取検出センサーとを備える構造とし、前記受取検出センサーの検出信号を制御部に入力し、更にローラー駆動部の作動信号は制御部から送られるようにした、前記１）〜４）いずれか記載の紙幣の搬送保管設備
６）  ダクトは、ダクト外壁と内部の紙幣通路とダクト外壁の側壁の上下中間部分を中央に向け突出させたガイドとを一体成型で形成した、前記１）〜５）記載の紙幣の搬送保管設備
７）  ダクトの途中の複数個所で、ダクト内に空気流を送り込む補助送風機を設けた、前記１）〜６）いずれか記載の紙幣の搬送保管設備
８）  ダクトの始端と終端に設ける送風機に代えて、一台の送風機の分岐した二つの送風ダクトでダクトの始端側送風口と終端側送風口とを接続するとともに、各送風ダクトの途中にダンパーを設け、制御部によってダンパーの開閉制御できるようにして、ダクトの始端と終端から独立して送風できるようにした、前記１）〜７）いずれか記載の紙幣の搬送保管設備
９）  キャリア停止紙幣放出部に近いその上流側の位置に及び上流キャリア待機部に近いその下流側の位置にキャリアの移動速度を低下させるブレーキを設けた、前記１）〜８）いずれか記載の紙幣の搬送保管設備
１０）  遊技場の島に互に背中合せに遊技機と紙幣投入装置である貸機とを複数台左右それぞれに列設した遊技場での紙幣の搬送保管設備であって、島の背中合せの左右の貸機の間を通るように共用のダクトを設け、左右の貸機に投入されて送出される紙幣を貸機に接続された紙幣挿入装置で前記ダクトの紙幣通路の異なった位置に送り込めるようにした、前記１）〜９）いずれか記載の紙幣の搬送保管設備
にある。
【発明の効果】
【００１０】
本発明では、紙幣投入装置から投入されて真偽判定後に真札として送出される紙幣を紙幣挿入装置により密閉したダクトの紙幣通路内に送り込む。その紙幣は垂直状態で紙幣通路内に置かれて、その紙幣を紙幣検出センサーが検出し、又上流キャリア待機部のキャリア検出センサーによってキャリアが検出されて停止していれば、これら検出信号を受けて制御部は上流キャリア待機部の送風機を作動させてダクトに空気流を送り、キャリアは受圧部で送風を受けて推進力を得てダクトの紙幣通路に沿ってガイドの案内で下流方向に動かされる。キャリアは下流に向けて移動する途中で、紙幣を紙幣捕捉部で捕捉して紙幣保管室の前まで送る。そして、キャリアはキャリア停止紙幣放出部で一時停止させられるとともに、捕捉した紙幣をその紙幣通路の延長部分を介して紙幣保管室へ送り込む。このように、キャリアで紙幣を捕捉してダクト内の紙幣通路を移動して、安全性を高くできる紙幣保管室に送り込んで格納することで、及び紙幣はダクト内に閉鎖されて存在するので、紙幣の搬送途中での抜き取りが難しい。更に、ダクト内では空気流で移動するキャリアに紙幣を捕捉して高速に移動するので、紙幣移動中はキャリアも動いているのでダクト内での紙幣抜き取りも困難である。
【００１１】
本願発明のキャリアはＶ字状の紙幣捕捉部を有するものであるから、ダクトの紙幣通路に置かれた紙面が垂直になるように置かれた紙幣は、キャリアのＶ字状に拡がった紙幣捕捉部で紙幣の置かれた位置のズレ及び紙幣に多少の変形があっても、確実に左右に拡がったラッパ状の紙幣捕捉部で受け止められて、紙幣をキャリアとともに下流方向に捕捉したまま確実に搬送できる。
【００１２】
又、キャリアの受圧部及び紙幣捕捉部の兼用部材としてＶ字状に拡がった羽根を有する構造とすれば、同羽根がダクト内の空気流を下流方向及び上流移動いずれでも大きく受け止めることとなり、上下流両方向に対し高い推進力を発生させることができる。これによって、キャリアは遊技店の一つの島において、紙幣を１１〜２０秒程の時間で、紙幣を貸機での紙幣投入から紙幣保管室まで届けることができる。又、空のキャリアを上流キャリア待機部まで高速に戻すことができる。尚、本発明の受圧部はＶ字状の羽根形状のものに限るものでなく、平面状のものでもよい。あるいは、空気流を狭い面積で受けるようにもできる。
【００１３】
特に、上記羽根が弾性変形可能のものにすると、羽根が空気圧で左右に拡がってダクト内側壁面に接触できる程となり、受圧面積が広くなってより高い推進力を得るとともに、キャリアの弾性変形可能な羽根の先端がダクト内面と軽く接触してキャリアを滑らかに移動できるようにする。
【００１４】
又、ダクトの終端・始端付近にキャリアの速度を減じ又はキャリアを一時停止させるブレーキを設ければ、ブレーキでキャリアを減速させてキャリアの急激停止による衝撃・破損を少なくし、キャリアを減速させて衝撃少なくゆっくりと一時停止できる。又、キャリアに捕捉した紙幣も慣性によってゆっくりと紙幣保管室へ移動させることができる。
【００１５】
又、紙幣挿入装置がダクトの縦長の開口に下流側に湾曲した変向ガイドを設けるものでは、紙幣を開口からダクトの紙幣通路に置かれる紙幣は、この変向ガイドによって紙幣通路方向に略直角に変向されて、紙幣通路に沿って紙面が一直線の垂直状態にすることが容易にできる。
【００１６】
又、ダクトの途中にダクト内に空気流を送り込む補助送風機を設ければ、ダクトの始端上流側又は終端下流側のメインの送風機の送風力が低下しても途中の補助送風機が空気流を追加して、所要の流速の空気流を確保し、キャリアの速度を高めることができる。
【図面の簡単な説明】
【００１７】
【図１】図１は、実施例の構造説明図である。
【図２】図２は、実施例の正面図である。
【図３】図３は、実施例の平面図である。
【図４】図４は、実施例のダクト内部を示す切欠斜視図である。
【図５】図５は、実施例のダクトの断面図である。
【図６】図６は、実施例のキャリアの拡大斜視図である。
【図７】図７は、実施例のキャリアの平面図である。
【図８】図８は、図７のＡ−Ａ断面図である。
【図９】図９は、実施例のキャリアの正面図である。
【図１０】図１０は、実施例のキャリアの背面図である。
【図１１】図１１は、実施例のダクト内のキャリアとガイドの嵌合状態を示す説明図である。
【図１２】図１２は、実施例の貸機と紙幣挿入装置の構造を示す説明図である。
【図１３】図１３は、実施例のダクトのキャリア停止紙幣放出部を示す説明図である。
【図１４】図１４は、実施例のダクトの上流キャリア待機部を示す説明図である。
【図１５】図１５は、実施例のストッパを示す構造図である。
【図１６】図１６は、実施例のブレーキを示す説明図である。
【図１７】図１７は、実施例の制御部のハード構成説明図である。
【図１８】図１８は、制御部で作動させるコンピュータソフトによる紙幣搬送の処理フロー図である。
【図１９】図１９は、制御部で作動させるコンピュータソフトによる紙幣搬送の処理フロー図である。
【図２０】図２０は、制御部で作動させるコンピュータソフトによる紙幣搬送の処理フロー図である。
【図２１】図２１は、空気流吹込みの他の構造例を示す説明図である。
【発明を実施するための形態】
【００１８】
本発明の請求項１中の字句の「紙幣の紙面が垂直の姿勢」とは、紙幣の厚みで垂直に立てた状態で、紙幣の横辺縦辺いずれの辺で垂直になってもよい。そして、「垂直」とは「鉛直」姿勢及び「鉛直から少し傾いた角度状態の紙幣の姿勢」を含む意味するものである。紙幣の長辺を下側にする垂直状態が安定するので好ましい。
【００１９】
上記ブレーキとしては、キャリアの紙幣捕捉部先端と接触して抗力・摩擦力を発生させて減速させるブレーキ部材をダクトの内側側面に設ける方法が、簡単な構造でキャリアの速度を落すことができる。又は、キャリアとその停止のストッパとの間にクッション材を設けて速度を減速させる方法も可能である。あるいは、ストッパ１５１，１６１をダクト内側面に対してスライド可能とし、スライドする範囲においてスプリング等の減速方向に付勢力を発生する付勢手段を設けることで、キャリアを付勢力で減速させながらそのスライド終端で完全に停止させるようにもできる。
【００２０】
本発明の制御部は、コンピュータを用いてプログラムによる制御処理が電気検出信号を入力して複雑な条件のもとで電機制御信号を生成して出力させることが容易にできるので好ましい。また内蔵の時計とカレンダーを有し、コンピュータのメモリに投入された紙幣の受取の信号発生の時刻、年月日及び送り込み順番等を紙幣挿入装置・そのローラ駆動部のＩＤ等と併せて記憶できるようにすることが紙幣の搬送順位を決める上で好ましい。これら処理は、コンピュータを用いずに同等の機能を有する電子回路・ロジック回路でも可能である。
【００２１】
紙幣投入装置に投入された紙幣がその装置から送出され、紙幣挿入装置に送られ、その紙幣受取部で取り込まれて一時停止（一時待機）される。又、その位置で受取検出センサーがその紙幣を確認して、紙幣検出信号を制御部の記憶部に出力する。記憶部では同紙幣検出信号が入力されると、その紙幣投入装置・紙幣挿入装置のローラー駆動部のＩＤと関連付けられて、その紙幣検出信号入力時の時刻を受取時刻として記憶する。記憶部ではその紙幣検出信号入力時の受取時刻を時刻順に列べて、一定の時間でもって区分化する。この区分の時間を長い日数、一日単位などにすれば、区分なしと同じになる。本発明はこれも含むものである。
次に、投入された紙幣の搬送順番を決めるのは順番決めソフト（プログラム）によるのが一般的とする。そのソフトでは、その区分の中で１枚毎に紙幣をダクト内の紙幣通路に送り込む送込順番を決定し、機器の作動信号を送る送込制御部に出力し、その送込順番に従ってその送込順番の紙幣の紙幣受取部のローラー駆動部に作動信号を送り、その間は他のローラー駆動部には停止信号のままとさせる。
【００２２】
そして、１枚の送込順番となった紙幣がダクト内の紙幣通路に置かれると、その紙幣検出センサーが検出して且つキャリア検出センサーによって上流キャリア待機部にキャリアの存在を確認すると制御部は始端側の送風機を作動させてキャリアを下流に向けて発進させてキャリアをダクト内で移動させて、移動途中でキャリアのＶ字状の紙幣捕捉部（羽根）がその紙幣を捕捉して、その下流の紙幣保管室へ送るものである。
【００２３】
又、前記の順番決めソフト（プログラム）として最も単純なものは、記憶部に入力された受取検出センサーの受取の時刻とそのローラー駆動部ＩＤを関連付けて記憶し、区分を設けずに又は区分を１日単位として日毎にクリアして、入力された受取時刻の早い順にその紙幣をダクトの紙幣通路に置くようにする送込順番とするものである。
この順番決めソフトは記憶部に入力された受取時刻順ばかりでなく、一定の時間例えば１５分の間隔で入力受取時刻をその時刻をもって区分し、紙幣のダクト内の挿入位置等によって受取時刻順でない送込順番で紙幣を送り込むことも可能である。
【００２４】
一般に紙幣投入装置には、投入された紙幣の真偽を判定する紙幣真偽判定装置、その紙幣の枚数をカウントする装置及び投入された紙幣の額を表示する表示器が一般的に備えられている。本願発明の紙幣投入装置も上記判定装置、カウント装置及び表示器を備えるのを一般としている。
【００２５】
本発明の紙幣保管室は安全な場所で特定の人のみが開錠でき、金庫の如く外部からの開錠が難しく、破壊されにくい金属素材で耐火性のあるものとしているのが好ましい。又、種々の防犯機器が装置されているのがよい。
【００２６】
本発明で、直線的なダクト部の外壁、ガイド、紙幣通路等は一体成型の直線状の長尺材にして使用することが好ましい。ダクトが湾曲する部分は別体で湾曲ダクト部だけを製作し、前後又は上下の直線ダクト部と内部のガイド、紙幣通路が連続するように接続する。
更に、本発明のダクトは曲線形状でも又は店内等の構造物を迂回する形状にすることもある。
【００２７】
本発明のキャリアは、プラスチックで製作するのが軽量で送風機の風力も低いものでよいので好ましい。又、その弾性変形可能なＶ字状の羽根としては先端部分だけを弾性変形できる軟質のプラスチック又はバネ鋼材の素材を使用することもできる。
【００２８】
又、本発明のキャリアの受圧部は後方で開いたＶ字状の羽根を有するのが空気流からの推進力が高いので好ましいが、本発明はこれに限るものでなく、空気流の流れを直角に受ける平面的な受圧部でもよい。又は、キャリアの特定の部分のみに空気流を受けるものであってもよい。更に、ダクト内に紙幣通路と分離独立した送風路を形成し、同送風路の空気流に当るようにキャリアの受圧部を設ける構造として、紙幣通路に空気流が入らないようにすることもできる。
【００２９】
本発明の受取検出センサーは、紙幣投入装置の後部に設けた紙面を垂直にして送る紙幣送りローラー装置に続いた紙幣挿入装置のローラー駆動部に設けることも又は紙幣投入装置内部にも配置できる。同ローラー駆動部の送り込みローラーの先のダクトの縦長の狭い巾の開口の周縁には、紙幣の送り込み方向をダクト内の紙幣通路の方向になるように変向させる変向ガイドを設けることが好ましい。尚、同開口から内側のガイドも一部切り欠いて、紙幣通路までの紙幣送りの通路を設ける。
【００３０】
又、ダクトが長い場合は送風力が最上流の送風機のみでは能力が不足する場合又は途中で風速が低下するときは、図３の想像線で示すようにダクトの始端と終端の中間に補助送風機を設けることが好ましい。ダクトの送風機は、ダクトの始端・終端それぞれに独立作動の送風機を設けてもよいし、１台の送風機からの空気流を始端側方向と終端側方向とのダクトに分け、各ダクトにダンパーで通路を切換えることによってもよい。この構造は両端の送風機と同じ機能であり、本願発明はこれらを含むものである。
【００３１】
又、ダクトの密閉は全ダクトで完全な気密性を要求するものでなく、ダクトの外周壁からの空気洩れが多少あってもよく、送風機の能力が過大にならないように空気洩れを少なくする程度であればよい。又、紙幣挿入装置の付近のダクトの縦長の開口は紙幣挿入装置の内部と連通して大きな空気洩れを生起させないので、影響は少ない。必要ならば、貸機から紙幣挿入装置の紙幣通路途中に空気のダクト側からの風圧を遮断する紙幣の通過のみを許容する空気遮断カーテンを設けるのがよい。又、ダクトの始端・終端の適切な場所に空気圧を適度に開放する排気弁を設けるのがよい。
【００３２】
又、本発明ではダクト内の紙幣通路内に一枚の紙幣が置かれると、全ての紙幣挿入装置を作動停止して、送風によってキャリアを送って１枚の紙幣を１台のキャリアで紙幣保管室まで送る紙幣１枚毎キャリア送りすると、直ちにキャリアを始端側方向に空気流で移動させて戻すように制御部で制御する。これであれば、紙幣を安全に迅速に紙幣保管室へ格納することができて好ましい。本発明はこれに限るものでなく、紙幣通路に複数枚の紙幣が置かれて、１台のキャリアが複数枚の紙幣を捕捉して、紙幣保管室へ送るようにもできる。以下の実施例では紙幣１枚毎送りの例である。
【実施例】
【００３３】
以下、本発明の実施例を図面に基づいて説明する。
【００３４】
図１〜２０に示す本実施例の紙幣の搬送保管設備Ｇは、遊技店の遊技機の島Ｓ（島ＩＤ＝０８）の背中合せの左右それぞれに、一定間隔で列設された２０台程の貸機Ｋ（左右計４０台程）を紙幣投入装置とするものである。ダクト１は左右の貸機Ｋの間を島方向に長く配設されている。同ダクト１はプラスチック製で上下高さの中間にキャリア２の上下高さの約１／３程の巾をもって、ダクト内中央方向に左右対称に張り出したガイド１１を設けている。ダクト１とガイド１１は一体成型で製作されている。ダクト１の下流側の紙幣保管室Ｈは島Ｓの基端側に設け、監視し易いようにしている。
【００３５】
図１〜２０に示す実施例の紙幣の搬送保管設備の符号について説明する。
Ｇは本発明の実施例の紙幣の搬送保管設備、Ｋは本発明の紙幣投入装置である貸機、Ｈは本発明の紙幣保管室、Ｃは本発明の紙幣搬送装置、Ｉｎは本発明の紙幣挿入装置、ＣＯＮは本発明の制御部、Ｍは紙幣、Ｓは本発明の遊技場の島、Ｐは本発明の島にある遊技機である。
【００３６】
又、図中符号１〜４０６は上記Ｇ〜Ｐの主たる構成の実施例の部分構成である。
１はダクト、１０は同ダクト１の紙幣通路、１１はダクトの垂直な側壁の中間部分がダクト内へ張り込んで形成された断面コ字状のガイド、１１ａは同ガイド１１の先端垂直面、１１ｂは同ガイド１１の水平面、１１ｃは同ガイド１１の開口１３と絡がって紙幣を送り込む通路を形成する切欠、１２はダクト１の内側面、１３はダクト１の紙幣挿入用の開口、１３１はダクト１の開口１３の開口縁外側に設けた紙幣をダクト内へ誘導する変向ガイド、１４は紙幣検出センサー、１５はキャリア停止紙幣放出部、１５１はキャリア停止紙幣放出部１５側のストッパ、１５２はキャリア停止紙幣放出部１５側の送風機、１５３はキャリア停止紙幣放出部１５側の送風ダクト、１５４はキャリア停止紙幣放出部１５側のキャリア検出センサー、１６はダクト１の上流キャリア待機部、１６１は上流キャリア待機部１６側のストッパ、１６２は上流キャリア待機部１６側の送風機、１６３は上流キャリア待機部１６側の送風ダクト、１６４は上流キャリア待機部１６側のキャリア検出センサー、１６５はダクト１の中間部に設けた補助送風機、１８０はダクト１内の空気流を始端・終端近くで排出する空気解放弁、１９はキャリア２の速度を減速させるブレーキである板バネ、１９ａは板バネ１９を納めるポケット、１９ｂは板バネ１９の中央部をダクト内に挿入するためのスリット、２はキャリア、２１はキャリア２の上下一対ある羽根（受圧部／紙幣捕捉部）、２２は同羽根とは前後逆の側にキャリア２に取付けた紙幣を捕捉する羽根（受圧部）、２３はキャリア２のガイド１１を嵌挿する開口部、３０は貸機Ｋの紙幣投入口、３１は貸機Ｋのローラ装置、３１ａは貸機Ｋのローラ、４１は制御部ＣＯＮで使用したコンピュータのＣＰＵ、４２は制御部ＣＯＮで使用したコンピュータのインターフェース、２００は実施例２の送風機、２０１，２０２は実施例２のダクト、２０３，２０４は実施例２のダンパー、４００は制御部ＣＯＮのコンピュータが本実施例の作動の為に行う機器の制御・入力管理・計算・データ及び実行プログラムの記憶・処理手順の決定・処理の実行等のソフト処理部であって、下記４０１〜４０５の構成を有する。４０１は制御部ＣＯＮの記憶部、４０２は制御部ＣＯＮの順番決めソフト、４０３は制御部ＣＯＮの送込制御部、４０４は制御部ＣＯＮの機器制御部、制御部ＣＯＮは残留紙幣処理作業プログラムを有するが図示していない。４０５は制御部ＣＯＮの紙幣保管枚数カウンター、５０は紙幣保管室Ｈの前に設けた紙幣通路、５１は紙幣保管室Ｈの前に設けた紙幣受入口、５２は紙幣保管室Ｈの前に設けた紙幣保管センサー、６０は貸機Ｋから紙幣挿入装置Ｉｎへの紙幣ガイド、６１は紙幣挿入装置Ｉｎの紙幣受取部、６２は紙幣挿入装置Ｉｎのローラ駆動部、６３は紙幣挿入装置Ｉｎの紙幣の受取を確認する受取検出センサーである。
【００３７】
ダクト１の終端（島Ｓの基端位置）に強固で破壊しにくく、遠隔監視された紙幣保管室Ｈを設けている。ダクト１の最上流の始端付近には上流キャリア待機部１６を、又ダクト１の終端付近にはキャリア停止紙幣放出部１５を設けている。この上流キャリア待機部１６及びキャリア停止紙幣放出部１５それぞれに、キャリア検出センサー１５４，１６４、図１５に示すストッパ１５１，１６１、及び送風機１５２，１６２を設けている。これら装置器具の電気信号は制御部ＣＯＮに入力・出力されて絡がっている。又、上流キャリア待機部１６及びキャリア停止紙幣放出部１５の手前の紙幣通路位置のダクト１の左右の内側面で左右それぞれに上下２段に中央方向に少し突出するように湾曲した板バネ１９を４個配置し、板バネ１９の前後端部はダクト１のスリットを貫通してダクト１の外壁面に取付けたポケット１９ａに収められている。板バネ１９の湾曲部が押圧されると偏平状になるように変形し、その前後端部が前後方向に変位できるようにしている。この板バネ１９はキャリア２の羽根２１，２２の先端部と接触して板バネ１９の湾曲部分を加圧して変形変位させる。この板バネ１９の変形変位の抗力及び接触の動摩擦力がキャリア２のブレーキ力となって、キャリア２の速度を減速させる。この板バネ１９とポケット１９ａが本発明のブレーキとなる。
【００３８】
本実施例のキャリア２の形状を図６〜１０に示している。キャリア２の紙幣捕捉部及び兼用の受圧部としてＶ字状に左右対称的に拡がり且つ上下２段に分れるように設けられた羽根２１，２２を前後それぞれに有し、しかもこの羽根２１，２２を弾性変形する羽根としている。羽根２１，２２の形状は前後で多少形状を異にしている。キャリア２は羽根２１，２２の上下中間に設けた開口部２３にダクト１の内部の中央部に張り出した左右のガイド１１を嵌合させている。左右一対のガイド１１の巾が狭まった先端垂直面１１ａ間の連続した長い空間が紙幣通路１０となっている。
【００３９】
本実施例の貸機Ｋが本発明の紙幣投入装置に相当するものであり、遊技場の島の左右背中合せに左右それぞれに遊技機Ｐと貸機Ｋを交互に列設させている。貸機Ｋには、紙幣投入口３０があって、千円札が投入できるようになっている。千円札を投入すると、千円分のプレイ回数が自動的に行えるようにしたり、又はカードに書き込みがなされたりして、あるいは旧型ではコイン・球等が遊技者側に排出されて使用できるようになっている。
【００４０】
図１２に示すように、この貸機Ｋには正面に紙幣投入口３０があり、この紙幣投入口３０で投入された紙幣はローラ装置３１で取り込まれ、紙幣を所定の位置で静止させ、紙幣の真偽判別装置（図示せず）で真偽の検査と判定を行った後に、真札であれば紙幣挿入装置Ｉｎの紙幣受取部６１に紙幣が受取検出センサー６３の信号から待機してないことが判断されると、ローラ装置３１とローラ駆動装置６２を作動させ、貸機Ｋの紙幣を直ちに紙幣挿入装置Ｉｎへ送るようにしている。
【００４１】
紙幣挿入装置Ｉｎは、紙幣ガイド６０で貸機Ｋの背面から送り出される紙幣をローラ６１ａで受け入れてローラ駆動装置６２を用いた紙幣受取部６１で受け入れて、この位置で一時待機して、制御部ＣＯＮからの送り出し命令を待つ。又、この紙幣受取部６１に待機する紙幣があるか否かを検出する受取検出センサー６３を設けている。同受取検出センサー６３の受取信号は、制御部ＣＯＮと貸機Ｋ側へ出力される。
【００４２】
又、図１２から分るように島Ｓの左右の貸機Ｋの中間にダクト１を設け、その左右にある貸機Ｋは互にダクトの長手方向において背面同士の貸機Ｋが互に対向しないように、貸機Ｋ，紙幣挿入装置Ｉｎの位置はダクトの長手方向に少しずらして配置されている。
そして、左右にある紙幣挿入装置Ｉｎでは紙幣ガイド６０から導入された紙幣はローラ６１ａによって取り込まれて紙幣受取部６１で一時待機される。そして、受取検出センサー６３から紙幣が待機している信号を制御部ＣＯＮへ出力する。次に、制御部ＣＯＮからの送り込み命令でローラ駆動部６２は作動して、一時待機した紙幣は送り出され、変向ガイド１３１，ダクト１の側壁面の縦長の開口１３とガイド１１の紙幣挿入用切欠１１ｃを介して、紙幣通路１０へ送れるようになっている。
そして、左右の紙幣挿入装置Ｉｎの位置がダクト方向に離れているので、左右からの紙幣の挿入位置がぶつからないようになって、左右独立して紙幣を挿入できるようにしている。尚、これは左右からの紙幣の挿入時刻をずらすことで、このような左右の位置づらしをしなくすることもできる。
【００４３】
キャリア２の羽根２１，２２の中間に設けた開口部２３に上下に高さをもってダクト内部中央に張り出したガイド１１を嵌合している。キャリア２の羽根２１，２２の開口部周縁部はこのガイド１１の上下の水平部の水平面１１ｂと接摺し、上下動を少なくしている。しかも、更にキャリア２の左右動に対しては羽根２１，２２の先端がダクト１の内側面１２と接触でき、又羽根２１，２２の中間部分は左右のガイド１１の垂直面１１ａによって拘束されていることによって、及びキャリア２は弾性変形できることもあってキャリア２は接触があっても柔らかく変形変位して拘束されながら移動できる。よって、キャリア２はダクト１，ガイド１１と接触しながら円滑にダクト１に沿って安定して移動できるようになっている。
【００４４】
又、キャリア２の羽根２１は紙幣通路１０の巾より左右にＶ字状に拡がっているので、紙幣通路１０に垂直に置かれた紙幣Ｍは確実に羽根２１によって捕捉される。
【００４５】
下流側の送風機１５２の上下に分れた二つの送風ダクト１５３のダクト１への送風口（図示せず）は、ダクト１のキャリア停止紙幣放出部１５の更に下流位置に設けられている。又、上流側の送風機１６２の上下に分れた二つの送風ダクト１６３のダクト１への送風口（図示せず）は、上流キャリア待機部１６より更に上流位置に設けられている。しかも、送風口（図示せず）はキャリア２の羽根２１，２２の上部と下部に向けるように上下に分けて設けられている。これら送風機１５２，１６２の起動信号と停止信号とは制御部ＣＯＮから送られる。送風機の停止信号は、キャリア２がキャリア停止紙幣放出部１５のキャリア検出センサー１５４が検出した時点で発信される。又、キャリア２が上流キャリア待機部１６のキャリア検出センサー１６４が検出した時点で、送風機停止の信号が発信される。
【００４６】
実施例の図１７で示す制御部ＣＯＮはコンピュータを用いて制御している。図中４１はＣＰＵ、４２は外部の種々の電気機器との信号の入出力の為のインターフェース、４００はＨＤ又はメモリの中に設置されているソフト処理部、同ソフト処理部４００には、４０１は制御の為のソフト（プログラム）及び各種センサーの出力データ・その他入出力データ・ソフトの定数等を記憶する記憶部、４０２は紙幣挿入装置Ｉｎに待機している紙幣の紙幣通路１０への送り込みの順番を決める順番決めソフト、４０３は同順番決めソフトで決められた待機中の紙幣を紙幣通路１０へ送り込むために所要の紙幣受取部６１のローラ駆動装置６２に作動信号を送る送込制御部、４０４はその他の電気機器に作動／停止信号を発生させる機器制御部がある。
紙幣保管室Ｈの５０はダクト１の紙幣通路１０の延長にある紙幣通路、５１は紙幣受入口、５２は紙幣保管センサーである。
【００４７】
（実施例の動作）
本実施例の動作について説明する。実施例の作動を示すフローチャート図を図１８〜２０に示している。
【００４８】
（初期設定１）
本実施例を作動させる前に、キャリア２を上流キャリア待機部１６へ確実に移動させる。
ステップ１：貸機Ｋ及び紙幣挿入装置Ｉｎに電源を通電させずに、送風機１５２，１６２と制御部ＣＯＮのみ給電して、作動可能とする。
ステップ２：ダクト内の全ての紙幣検出センサー１４が「非検出」状態か確認する。全て「非検出」であればステップ４に行く。さもなければ、ステップ３へ行く。
ステップ３：もし、「検出」状態のものが一つでもあれば残留紙幣を紙幣通路から排出する作業を行う。これは通常起りえない処理である。
ステップ４：残留紙幣がなければ下流側の送風機１５２を作動させ、キャリア２を上流方向に移動して上流キャリア待機部１６へ移動させる。
ステップ５：次に、上流側のキャリア検出センサー１６４がキャリア２が待機していることを検出すると、その検出信号で送風機１５２を停止する。
【００４９】
（初期設定２）
ステップ６：貸機Ｋ及び紙幣挿入装置Ｉｎの電源を投入し、全ての紙幣挿入装置Ｉｎの紙幣受取部６１の紙幣の送り込み順位ｉを「９９９９」の初期値を与える。
ステップ７：紙幣受取部６１の受取検出センサーが「紙幣受取」状態になっているセンサーがあれば、制御部ＣＯＮの記憶部４０１にその紙幣受取部６１のＩＤ（そのローラ駆動部６２のＩＤ）と関連付けて、その「受取」状態の入力時刻が記憶される。
尚、貸機Ｋは投入された紙幣を真偽判定装置で検査判断した後真札であれば、ローラ装置３１で紙幣挿入装置Ｉｎの紙幣受取部６１へ紙幣が少し送り出す。そして、受取検出センサー６３が「紙幣待機なし」の信号を出力していれば、直ちに紙幣挿入装置Ｉｎのローラ駆動部６２を作動して、少し送り出された紙幣を取り込んで、紙幣受取部６１に紙幣を一時待機させる。一時待機すると、受取検出センサー６３は「紙幣待機」の信号を制御部ＣＯＮに出力し、記憶部４０１にその紙幣受取部６１・ローラ駆動部６２のＩＤと関連付けして、その受取の時刻を記憶する。
【００５０】
ステップ８：次に、受取検出センサー６３が「紙幣受取」状態であるものがないか、記憶部４０１のメモリ検索から判断する。
一つの受取検出センサー６３のみが「紙幣受取」状態であれば、その送り込みの順位ｉとして「ｉ＝０」を与える。もし、複数の受取検出センサー６３が「紙幣受取」状態にあれば、それらの紙幣受取部６１の送り込みの順位ｉとして１，２，３，４，・・・とシリアルの順位を若い順に付与していく。これは制御部ＣＯＮの順番決めソフト４０２が処理していく。その順位ｉは、そのローラ駆動部６２のＩＤと関連付けて記憶部４０１に記憶される。
【００５１】
ステップ９：紙幣受取部６１の順位が全て「９９９９」か否か判断する。全て「９９９９」であればステップ７へ戻り、「９９９９」でないものがあれば次のステップ１０へ移る。
ステップ１０：その後、送り込みの順位ｉが９９９９値より小さく最も若い順位のローラ駆動部６２を作動させるように、制御部ＣＯＮの送込制御部４０３によってなされる。
ステップ１１：ダクト内に紙幣が送り込まれて、紙幣検出センサー１４が「紙幣検出」信号を制御部ＣＯＮに入力させると、上流側の送風機１６２を作動させ、下流方向に送風し、キャリア２を下流方向に移動させ、途中で検出された紙幣Ｍをキャリア２のＶ字状の羽根２１で捕捉して移動する。
ステップ１２：下流のブレーキの板バネ１９で減速された後、ストッパ１５１によってキャリア２は強制停止させられる。このストッパ１５１でキャリア２が強制停止されると、キャリア２の羽根２１に捕捉されていた紙幣Ｍはその慣性でストッパ１５１直前の走行速度で羽根２１から離れて、紙幣通路１０の延長方向に放出され、紙幣保管室Ｈの紙幣通路５０を経て、その紙幣受入口５１から室内に送り込まれる。紙幣保管室Ｈ内では紙幣Ｍは重ねられるように格納される。
又、その紙幣受入口５１の付近に設けた紙幣保管センサー５２が紙幣Ｍを検出して、紙幣保管枚数カウンター４０５の保管枚数ｊを「ｊ＋１」して加算してカウントしていく。
【００５２】
ステップ１３：キャリア２はストッパ１５１で強制停止して下流の待機位置にいることをキャリア検出センサー１５４が感知すると、上流側の送風機１６２を停止させ、その数秒後制御部ＣＯＮは下流側の送風機１５２を作動させ、上流方向に送風し、キャリア２はその送風によって上流方向に移動される。
ステップ１４：キャリア２が上流へ移動して、その始端側のストッパ１６１で強制停止して上流で待機すると、これをキャリア検出センサー１６４が検出する。これで、下流側の送風機１５２を停止させる。
ステップ１５：ステップ１４で上流キャリア待機部１６でキャリア２が待機すると、ステップ９へ戻る。
【００５３】
本実施例の全動作停止は終了命令を制御部ＣＯＮに送り込むことで、制御部ＣＯＮの作動を停止し、又諸装置の電源も停止できるようにする。
【００５４】
本実施例によって、貸機Ｋに投入された紙幣は全て紙幣保管室Ｈへ搬送されて、厳格に安全に監視できるようになる。
【００５５】
又、図２１に示すようにダクト１の始端と終端側に独立駆動の計２台の送風機１５２，１６２を設置する代わりに、１台の送風機２００による空気流を始端側と終端側へ送る二つの分岐したダクト２０１，２０２を設け、同ダクト内に開閉ダンパー２０３，２０４を設けて、１台の送風機２００による送風をダクトの始端側、終端側いずれの方向にも切換して送風できるようにすることも可能である。この場合、送付機の台数を少なくできる。他は前の実施例と同様な構造・作用効果を有する。
【産業上の利用可能性】
【００５６】
本発明は遊技場の他に交通機関の切符購入機、商品・サービス券等の自動販売機の投入される紙幣の保管、及び金融機関のＡＴＭ装置の紙幣の搬送保管にも有用である。
【符号の説明】
【００５７】
Ｇ    実施例の紙幣の搬送保管設備
Ｋ    貸機（紙幣投入装置）
Ｈ    紙幣保管室
Ｃ    紙幣搬送装置
Ｉｎ    紙幣挿入装置
ＣＯＮ    制御部
Ｍ    紙幣
Ｓ    島
Ｐ    遊技機
１    ダクト
１０    紙幣通路
１１    ガイド
１１ａ    ガイドの先端垂直面
１１ｂ    ガイドの水平面
１１ｃ    切欠
１２    ダクトの内側面
１３    紙幣挿入用の開口
１３１    変向ガイド
１４    紙幣検出センサー
１５    キャリア停止紙幣放出部
１５１    ストッパ
１５２    送風機
１５３    送風ダクト
１５４    キャリア検出センサー
１６    上流キャリア待機部
１６１    ストッパ
１６２    送風機
１６３    送風ダクト
１６４    キャリア検出センサー
１６５    補助送風機
１８０    空気解放弁
１９    板バネ（ブレーキ）
１９ａ    ポケット
１９ｂ    スリット
２    キャリア
２１    羽根（受圧部／紙幣捕捉部）
２２    羽根（受圧部）
２３    開口部
３０    紙幣投入口
３１    ローラ装置
３１ａ    ローラ
４１    ＣＰＵ
４２    インターフェース
２００    送風機
２０１，２０２    ダクト
２０３，２０４    ダンパー
４００    ソフト処理部
４０１    記憶部
４０２    順番決めソフト
４０３    送込制御部
４０４    機器制御部
４０５    紙幣保管枚数カウンター
５０    紙幣通路
５１    紙幣受入口
５２    紙幣保管センサー
６０    紙幣ガイド
６１    紙幣受取部
６２    ローラ駆動部
６３    受取検出センサー
【要約】
【課題】  紙幣投入装置で投入された紙幣を確実に且つ高速度で速やかに安全な紙幣保管室まで搬送して、盗難の恐れをなくす。
【解決手段】  遊技店の遊技機Ｐと貸機Ｋを複数列設した島Ｓの貸機Ｋに投入された紙幣を島の基端に設けた金庫となる紙幣保管室Ｈへ送るダクト１を設け、ダクト１内に紙幣を垂直にして送る紙幣通路１０を設け、貸機Ｋに投入された紙幣をダクト１の紙幣通路１０へ送り込む紙幣挿入装置Ｉｎを設け、紙幣通路１０には送り込まれた紙幣の存在を検出する紙幣センサーを設け、ダクト１内を紙幣通路１０に沿って空気流によって走行するキャリア２を備え、同キャリア２は紙幣を捕捉する羽根２１を設け、ダクト１の始端・終端部に送風機１５２，１６２を設け、これらを制御する制御部ＣＯＮを備える。
【選択図】図１【図１】
0005926415.tif 000002
【図２】
0005926415.tif 000003
【図３】
0005926415.tif 000004
【図４】
0005926415.tif 000005
【図５】
0005926415.tif 000006
【図６】
0005926415.tif 000007
【図７】
0005926415.tif 000008
【図８】
0005926415.tif 000009
【図９】
0005926415.tif 000010
【図１０】
0005926415.tif 000011
【図１１】
0005926415.tif 000012
【図１２】
0005926415.tif 000013
【図１３】
0005926415.tif 000014
【図１４】
0005926415.tif 000015
【図１５】
0005926415.tif 000016
【図１６】
0005926415.tif 000017
【図１７】
0005926415.tif 000018
【図１８】
0005926415.tif 000019
【図１９】
0005926415.tif 000020
【図２０】
0005926415.tif 000021
【図２１】
0005926415.tif 000022